(57)【特許請求の範囲】
【請求項１】
一方端を握り部、他端をコ状にしたホルダー（１）のコ状の内壁面（５）には、スライド溝（２）と固定溝（３）及び支持溝（４）が設けられ、前記スライド溝（２）はスライド（６）のスライド方向である上下方向に設けられ、前記支持溝（４）は係止壁（２０）をはさんで前記スライド溝（２）の直線上に設けられて開口端まで伸びて設けられ、
軸（１５）を有するローラー印字体（１４）を一部分露呈するように固定本体（１０）の前記スライド方向と平行に側面には軸受（１１）が開口端まで上下方向と垂直な方向に伸び、軸（１５）の移動を許容するように設けられ、前記固定本体（１０）の開放面の相対する上面には支持部材（１２）が設けられ、
有底箱状のスライド（６）には、前記支持部材（１２）を貫通させるように切欠（９）が一対の相対する上面及び下面に設けられ、相対する側面の外面にはスライド用突部（７）と係止用突部（８）を設けて、更に前記スライド（６）の内部で支持部材（１２）の回りに設けられ、その一方端を前記支持部材（１２）に、他端をスライド内面に当接保持させた弾発部材（１３）によりローラー印字体（１４）と固定本体（１０）を弾発保持し、
スライド用突部（７）はスライド溝（２）に支持され、軸（１５）は軸受（１１）を通り支持溝（４）にスライド可能に保持されるとともに前記軸受（１１）により前記上下方向の動きを規制し、前記支持溝（４）により前記上下方向に対し垂直な方向の動きを規制し、
常時は、スライド用突部（７）はスライド溝（２）の上方の位置に位置しており、更に係止用突部（８）が固定溝（３）に位置してスライド（６）及び固定本体（１０）を係止させており、
ローラー交換時には、スライド（６）をスライド方向の下方に押しやることにより、前記係止用突部（８）が前記固定溝（３）から外れると共に、スライド用突部（７）はスライド溝（２）の下方の位置に位置し、同時に係止用突部（８）が固定溝（３）に位置してスライド（６）及び固定本体（１０）を係止させる状態からスライドすると軸（１５）は支持溝（４）から外れ軸受（１１）がホルダーの内壁面から露呈されローラー印字体が取り外し可能としたことを特徴とするローラー捺印具。
【発明の詳細な説明】
【０００１】
【産業上の利用分野】
本発明は、ローラー印面を有して、非インキ吸収タイプの捺印物、又は、インキ吸収タイプの捺印物に転がし捺印するローラー捺印具に関するものである。
【０００２】
【従来の技術】
従来この種、ローラー状の印字体を有する捺印具は、印字体を非多孔質体としており、例えば、スタンプ台等のインキ含浸体よりインキを印字体に転写供給させ、更に、これをもって被捺印物に当接されて印影を得ていた。こうした、ロ−ル捺印具は、捺印毎にインキを塗布しなければならず手間を要していた。そこで、印字体をインキ自給式の印字体（インキを含浸させた多孔質体）とすることで捺印毎のインキ塗布の手間を解消した。しかし、こうした印字体は、必ずインキを供給しなければならず、特に印字体が組み込まれている場合、供給しにくいといった問題を生じる。また、印字体は、インキ供給だけでなく印字面の交換を必要とする場合は、特に容易に交換可能でなければならない。更に、こうしたローラー捺印具の使用に際しては、多くの捺印物に凹凸があり押圧の変化を生じ、鮮明な捺印を得られないといった問題点を生じる。
【０００３】
【発明が解決しようとする課題】
以上のように、従来は、自給式印字体（インキ含浸させた多孔質体）に対してインキを迅速に補充出来ないし、容易に印字体を交換出来ないとか、更に凹凸のある捺印物に対して鮮明な印影を得ることが出来なかった。したがって、本発明は、印字体に簡単に素早くインキを補充でき、容易に印字体を交換可能にし、更に凹凸のある捺印物に際しても鮮明な印影が得られるローラー捺印具を提供することにある。
【０００４】
【課題を解決するための手段】
一方端を握り部、他端をコ状にしたホルダー１のコ状の内壁面５には、スライド溝２と固定溝３及び支持溝４が設けられ、前記スライド溝２はスライド６のスライド方向である上下方向に設けられ、前記支持溝４は係止壁２０をはさんで前記スライド溝２の直線上に設けられて開口端まで伸びて設けられ、
軸１５を有するローラー印字体１４を一部分露呈するように固定本体１０の前記スライド方向と平行に側面には軸受１１が開口端まで上下方向と垂直な方向に伸び、軸１５の移動を許容するように設けられ、前記固定本体１０の開放面の相対する上面には支持部材１２が設けられ、
有底箱状のスライド６には、前記支持部材１２を貫通させるように切欠９が一対の相対する上面及び下面に設けられ、相対する側面の外面にはスライド用突部７と係止用突部８を設けて、更に前記スライド６の内部で支持部材１２の回りに設けられ、その一方端を前記支持部材１２に、他端をスライド内面に当接保持させた弾発部材１３によりローラー印字体１４と固定本体１０を弾発保持し、
スライド用突部７はスライド溝２に支持され、軸１５は軸受１１を通り支持溝４にスライド可能に保持されるとともに前記軸受１１により前記上下方向の動きを規制し、前記支持溝４により前記上下方向に対し垂直な方向の動きを規制し、
常時は、スライド用突部７はスライド溝２の上方の位置に位置しており、更に係止用突部８が固定溝３に位置してスライド６及び固定本体１０を係止させており、
ローラー交換時には、スライド６をスライド方向の下方に押しやることにより、前記係止用突部８が前記固定溝３から外れると共に、スライド用突部７はスライド溝２の下方の位置に位置し、同時に係止用突部８が固定溝３に位置してスライド６及び固定本体１０を係止させる状態からスライドすると軸１５は支持溝４から外れ軸受１１がホルダーの内壁面から露呈されローラー印字体が取り外し可能としたことを特徴とするローラー捺印具である。
【０００５】
【作用】
本実施例のローラー捺印具を使用するには、ホルダー１の握りを持ちローラ印字体１４の露呈している部分を下方（図５の矢印の方向）にして捺印物に対して押圧し左右に動かしローラー印字体１４を回転捺印させる。この時、捺印物に凹凸があるものは、弾発部材１３の作用により凹凸面を吸収し一定の押圧力が得られ鮮明な印影を得ることが出来る。次に、ローラー印字体１４を取り替えるか、もしくは、インキを補充するにはスライド６をホルダー１の開口端側（図５の矢印の方向）に押しやる。すると、係止用突部８と固定溝３との嵌合固定がはずれ、スライド用突部７は、スライド溝２に導かれ前方の係止壁２０までスライドする。スライド６が下方に移動するとともに固定本体１０も前方に移動し、支持溝４に導かれて軸１５も下方へ移動する。するとホルダー１の開口端より軸１５および軸受１１が露呈され、ローラー印字体１４の軸１５の両方を持って取出し、ローラー印字体１４の印面交換、又は、インキ補充を容易に行える。そして、ローラー印字体１４の交換、又は、インキ補充を終えると、ローラー印字体１４の軸１５を軸受１１に配設して、スライド６を上方に押しやると、スライド用突部７がスライド溝２に沿って移動するとともに、固定本体１０はスライド６の切欠９を設けた上面及び下面に引っ張られて上方に移動する。すると、軸１５は、支持溝４に納まり、ローラー印字体１４は前後、左右に固定保持される。こうして、ローラー印字体１４の一部を露呈し固定することになる。
【０００６】
【実施例】
本発明を図１、図２、図３、図４、図５より詳細に説明する。
１は、ホルダーであり本発明の実施例ではＬ字型をしており、一方端を握り部とし、他端をコ状にし、内壁面５にスライド溝２と固定溝３および支持溝４が設けられている。支持溝４とスライド溝２は不連続であり一直線状に設けられている。更に支持溝４は、ホルダー１の端まで伸びている。
６は、スライドであり、有底箱状としており相対する側面の外面にスライド用突部７と係止用突部８を設けている。更にもう一方の相対する上面及び下面には、略Ｕ字状の切欠９が設けられている。
スライド用突部７は、前記スライド溝２にスライド可能に当接支持されている。また、係止用突部８は、ホルダー１の内壁面５に設けられた固定溝３に嵌合固定されスライド６を固定保持する。
１０は、固定本体であり、有底箱状であり一側面を開放面とし残りの相対する側面に軸受１１を設け、開放面と相対する上面には支持部材１２が設けられており、前記支持部材１２に弾発部材１３の一方端を当接し、前記弾発部材１３の他端をスライド６内面に当接保持し、固定本体１０を弾発支持している。
【０００７】
１４は、ローラ印字体であり、軸１５を両側面に張設されており、前記軸１５は、固定本体１０に設けられた軸受１１に当接し上下方向を保持し、更に、軸１５は軸受１１が設けられた外側側面より突出しており、前記ホルダー１の内壁面５に設けられた支持溝４に導かれ、当接し上下方向に対し垂直な方向を保持している。こうして、軸１５の上下方向、上下方向に対し垂直な方向を保持し、固定している。ローラー印字体１４は、インキ自給式印字体（インキ含浸方式の多孔質印字体）である。支持部材１２は、支持軸１２Ｂとこの支持軸１２Ｂの途中に支持片１２Ａからなり、支持軸１２Ｂは前記スライド６の切欠９を設けた上面、下面を貫通し、支持片１２Ａは弾発部材１３の他方端を当接保持して、前記支持部材１２を保持している。また、弾発部材１３の他端はスライド６の他方側面に当接している。こうして、支持片１２Ａと弾発部材１３を覆う事になる。前記、スライド溝２の全長よりも前記スライド用突部７の全長の方が短く、この長さの関係は、スライド６と固定本体１０を前方に移動さると固定本体１０の軸受１１と軸１５が露呈されればよい。
【０００８】
本実施例のローラ捺印具を使用することについては、ホルダー１の握りを持ちローラ印字体１４の露呈している部分を下方にして捺印物に対して押圧し左右に動かしローラー印字体１４を回転捺印させる。この時、捺印物に凹凸があるものは、弾発部材１３の作用により凹凸面を吸収し一定の押圧力が得られ鮮明な印影を得ることが出来る。次に、ローラー印字体１４を取り替えるかもしくは、インキを補充するにはスライド６をホルダー１の開口端側に押しやる。すると、係止用突部８と固定溝３との嵌合固定がはずれ、スライド用突部７は、スライド溝２に導かれ下方の係止壁２０までスライド移動する。
スライド６が下方に移動するとともに固定本体１０も前方に移動し、支持溝４に導かれて軸１５も下方へ移動する。するとホルダー１の開口端より軸１５および軸受１１が露呈され、ローラー印字体１４の軸１５の両方を持って取出し、ローラー印字体１４の印面交換、又は、インキ補充を容易に行える。そして、ローラー印字体１４の交換、又は、インキ補充を終えると、ローラー印字体１４の軸１５を軸受１１に配設して、スライド６を上方に押しやると、スライド用突部７がスライド溝２に沿って移動するとともに、固定本体１０はスライド６の切欠９を設けた前方側面に引っ張られて上方に移動する。すると、軸１５は、支持溝４に納まり、ローラー印字体１４は前後、左右に固定保持される。
【０００９】
【効果】
以上の様な構成であるので、弾発部材１３により凹凸のある捺印物に対しても均一な押圧力が得られ、鮮明な印影を得られる。また、ローラー印字体１４に設けられた軸１５が、軸受１１と支持溝４に当接支持固定しているので、スライド６を下方に押しやるとともに固定本体１０を下方に移動させると容易にローラー印字体１４を取り外すことが出来る。
【００１０】
【図面の簡単な説明】
【図１】本発明の実施例の一部断面図
【図２】本発明の実施例の全体図
【図３】本発明の実施例の一部拡大斜視図
【図４】本発明の実施例のローラー印字体固定時拡大断面図
【図５】本発明の実施例のローラー印字体取り外し時拡大断面図
【００１１】
【符号の説明】
１：ホルダー
２：スライド溝
３：固定溝
４：支持溝
５：内壁面
６：スライド
７：スライド用突部
８：係止用突部
９：切欠
１０：固定本体
１１：軸受
１２：支持部材
１３：弾発部材
１４：ローラー印字体
１５：軸
【図１】
0003659674.tif 000002
【図２】
0003659674.tif 000003
【図３】
0003659674.tif 000004
【図４】
0003659674.tif 000005
【図５】
0003659674.tif 000006